(57)【要約】【課題】装置一台で入場者および退場者のカード認識を同時に行うことができ、入場者と退場者の区別も行うことができる入退場管理装置を提供すること。【解決手段】本体１２の内部に入場者のカード認識用リーダーライタと退場者のカード認識用リーダーライタとを設置する。これにより、入場者および退場者のカード認識を同時に行うことができるので装置の設置コストおよび設置スペースを低減することができるとともに、入場者と退場者の区別をも行うことができる。また、警報ブザー２２Ａ，２２Ｂを入場者用と退場者用とで互いに異なる種類の警報音を発するように構成する。【選択図】　　　　図４
2004054725.tif 000002
【特許請求の範囲】
【請求項１】
ＩＣカードに格納されたデータに基づいてカード携帯者の入退場を管理する入退場管理装置であって、
入場口および退場口に共通に設置された本体と、
前記本体内部に設置され、入退場者の携帯するＩＣカードを認識するカード認識手段と、
不正入退場を報知する報知手段と、
入場者および退場者を区別する入退出検出手段とを備えた
ことを特徴とする入退場管理装置。
【請求項２】
前記入退出検出手段が、前記本体内部にそれぞれ設置された入場用および退場用の前記カード認識手段からなる
ことを特徴とする請求項１に記載の入退場管理装置。
【請求項３】
前記報知手段が、不正入場および不正退場に対してそれぞれ異なる種類の警報を発する
ことを特徴とする請求項１に記載の入退場管理装置。
【請求項４】
前記入退出検出手段が、
前記カード認識手段の収容位置に対応して前記本体表面に設けられたカード検出部と、
前記カード検出部を挟むように入退場方向に沿って前記本体表面に設置され、入退場者の通過を検出する第１センサおよび第２センサとを有し、
カード認識時、前記第１，第２センサのうち何れのセンサから入退場者の検出信号が発信されたかに基づいて、入場者および退場者を区別するようにした
ことを特徴とする請求項１に記載の入退場管理装置。
【請求項５】
前記入退出検出手段は、
前記カード認識手段による認識履歴を記憶する記憶手段を有し、
カード認識時、同一のカードを過去に認識している場合には退場者であると判断し、同一のカードを過去に認識していない場合には入場者であると判断するようにした
ことを特徴とする請求項１に記載の入退場管理装置。
【請求項６】
前記本体が曲面形状を呈している
ことを特徴とする請求項１に記載の入退場管理装置。
【請求項７】
前記本体には、前記カード認識手段と外部コンピュータとの間で通信を行わせるための送受信手段が設けられている
ことを特徴とする請求項１に記載の入退場管理装置。
【発明の詳細な説明】
【０００１】
【発明の属する技術分野】
本発明は、非接触型ＩＣカードを利用した入退場管理装置に関し、更に詳しくは、入退場者が携帯するＩＣカードの記録データに基づいて入退場の適否等を認識する入退場管理装置に関する。
【０００２】
【従来の技術】
従来より、データの記憶機能を有するＩＣカードと、このＩＣカードに対するデータの読み取りや書き込みを非接触によって行うリーダーライタとを用いることにより、特定の部屋等への人の入退出を管理する入退出管理システムが知られている（特開２００１−１０１５５１号公報、特開２００１−１０９９２２号公報等）。
【０００３】
例えば図９および図１０は、関係者以外の入室を禁じた部屋への入室管理を行う入室管理装置１を示している。
入室管理装置１は、部屋の外部のドア２の近くに例えば壁掛けて設置されており、入室者の携帯するＩＣカードを認識するためのリーダーライタが配置されるカード検出部１ａのほか、認識結果を表示する液晶表示部１ｂや各種表示灯１ｃを備えている。ドアノブ３の鍵４は電気錠で構成され、認識の結果、入室管理装置１から入室許可が出ると通電されて自動的に解錠する一方、カード不携帯者や入室資格のない者のカードでは解錠しないようになっている。
上記構成の入室管理装置１は、部外者の入室を防ぐ簡易的なセキュリティシステムとして適用できるとともに、入室者の管理にも役立てることができる。
【０００４】
また、近年においては、遊園地、テーマパーク等のアミューズメント施設や、映画館、遊技場、レストラン等を集合させたイベント会場あるいは複合商業施設、交通機関等においても、ＩＣカードを利用した入退場管理システムが導入されつつある（特開平７−２９６２０６号公報、特開２００２−１４０７４４号公報等）。ＩＣカードによる入退場システムは、利用者の利用状況等を随時把握できるだけでなく、不正な入退場をも監視できる点で優れている。
【０００５】
【発明が解決しようとする課題】
しかしながら、従来のＩＣカードを利用した入退場システムにあっては、その入退場口に設置された入退場管理装置一台のみでは入場者および退場者のカード認識を同時に行うことができないという問題がある。したがって、入場者および退場者のカード認識を同時に行うためには、入退場管理装置を複数台並設する必要性が生じ、設置コストおよび設置スペースが大きくなってしまう。
【０００６】
一方、一台の入退場管理装置で入場者および退場者のカード認識を行うようにすると、入場者と退場者の区別ができなくなるという問題がある。
特に、会社の入退出口や展示会場の入退場口等で開閉ゲートまでを必要としない環境下で設置される入退出管理装置を開発する場合、入場者と退場者とを区別して認識するための工夫が必要になる。
【０００７】
本発明は上述の問題に鑑みてなされ、装置一台で入場者および退場者のカード認識を同時に行うことができ、入場者と退場者の区別も行うことができる入退場管理装置を提供することを課題とする。
【０００８】
【課題を解決するための手段】
以上の課題を解決するに当たり、本発明の入退場管理装置は、入場口および退場口に共通に設置された本体と、本体内部に設置され、入退場者の携帯するＩＣカードを認識するカード認識手段と、不正入退場を報知する報知手段と、入場者および退場者を区別する入退出検出手段とを備えている。
【０００９】
入退出検出手段としては、本体内部にそれぞれ設置された入場用および退場用のカード認識手段で構成することができる。これにより、一台の入退場管理装置で入場者および退場者を区別しながら、同時にカード認識を行うことができる。
【００１０】
また、他の入退出検出手段としては、カード認識手段の収容位置に対応して本体表面に設けられたカード検出部と、カード検出部を挟むように入退場方向に沿って本体表面に設置され、入退場者の通過を検出する第１センサおよび第２センサとを有し、カード認識時、第１，第２センサのうち何れのセンサから入退場者の検出信号が発信されたかに基づいて、入場者および退場者を区別する。
【００１１】
更に他の入退出検出手段としては、カード認識手段による認識履歴を記憶する記憶手段を有し、カード認識時、同一のカードを過去に認識している場合には退場者であると判断し、同一のカードを過去に認識していない場合には入場者であると判断する。
【００１２】
【発明の実施の形態】
以下、本発明の各実施の形態について図面を参照して説明する。
【００１３】
図１〜図３は、本発明の第１の実施の形態による入退場管理装置１１を示している。入退場管理装置１１の本体１２は、支柱１３を介して基台１４に支持されており、屋内はもちろん、屋外の入退場口にも設置できるようになっている。
ここで、図１は入退場管理装置１１の全体斜視図、図２は入退場管理装置１１の本体１２内部の構成を示す斜視図、図３は本体１２内部の配置構成を示す平面図である。
【００１４】
支柱１３の先端部には、装置全体の機能を制御するのに必要な各種部品（ＣＰＵ、メモリ等）が実装された基板モジュール１６を収容するフレーム１５が固定されており、このフレーム１５の上面には電源ユニット１７が設置されている。また、フレーム１５の対角上には、２台のリーダーライタ１８Ａ，１８Ｂが例えばフレーム１５に対しステー等の支持部材（図示略）を介して固定されている。
【００１５】
リーダーライタ１８Ａ，１８Ｂはそれぞれ、非接触型のＩＣカードとの通信によってＩＣカードに格納されたデータを読み出し認識する「カード認識手段」として構成されている。
本実施の形態では、入退場管理装置１１は、入場口と退場口とが共通化された入退場口に一台のみ設置され、一方のリーダーライタ１８Ａを入場者用、他方のリーダーライタ１８Ｂを退場者用としており、これらにより本発明の「入退出検出手段」を構成している。
【００１６】
フレーム１５、基板モジュール１６、電源ユニット１７およびリーダーライタ１８Ａ，１８Ｂは、本体１２で覆われて外部と隔絶されている。つまり、当該入退場管理装置１１の屋外への設置にも耐え得る構成となっている。
本体１２は、ＩＣカードとリーダーライタ１８Ａ，１８Ｂとの間における通信に支障を来さない材質、例えばポリプロピレン等の合成樹脂材料で形成されている。また、その外観形状は、例えば、「たまご」型を模した曲面形状を呈している。
【００１７】
本体１２の頂部には、リーダーライタ１８Ａ，１８ＢによりＩＣカードの認識結果を表示するカード認識ランプ２０が設置されている。このカード認識ランプ２０は入場者用および退場者用の２つの表示灯（例えば発光ダイオード）を内蔵し、適正にカードの認識が行われた場合には例えば「緑色」で点灯し、それ以外の場合には例えば「赤色」で点灯するようになっている。
【００１８】
本体１２の周面には、入場者用および退場者用に対応して、人体検出センサ２１Ａ，２１Ｂおよび警報ブザー２２Ａ，２２Ｂが配置されている。
人体検出センサ２１Ａ，２１Ｂは例えば赤外線センサで構成され、本体１２の略中央部にそれぞれ配置されている。
一方、警報ブザー２２Ａ，２２Ｂは、本発明の「報知手段」に対応するもので、入場者および退場者の進行方向に関し、人体検出センサ２１Ａ，２１Ｂよりも下流側に配置されており、不正入退場者に対して警報音を発するようになっている。また、入場者用の警報ブザー２２Ａと退場者用の警報ブザー２２Ｂとは互いに異なる種類の警報音（アラーム）またはアナウンスを発するように構成されている。
なお、これら人体検出センサ２１Ａ，２１Ｂの配置場所および配置個数、ならびに警報ブザー２２Ａ，２２Ｂの配置場所はそれぞれ任意に決定することができる。
【００１９】
カード認識ランプ２０に隣接して配置される補助ランプ１９Ａ，１９Ｂはそれぞれ、リーダーライタ１８Ａ，１８Ｂの動作状態を表示する表示灯として設置されており、後述するように、カード認識ができるときには点灯するようになっている。
【００２０】
また、リーダーライタ１８Ａ，１８Ｂの収容位置に対応して、本体１２の周面にはカード検出部２３Ａ，２３Ｂが設けられている。カード検出部２３Ａ，２３Ｂは、リーダーライタ１８Ａ，１８Ｂのカード認識エリアを利用者に知らしめるためのもので、ステッカーの貼付や印刷等によって構成することができる。
【００２１】
本実施の形態の入退場管理装置１１は、以上のように構成される。次に、本実施の形態の作用について説明する。
【００２２】
図４は本実施の形態の入退場管理装置１１の設置例を示している。入退場管理装置１１は入退場口Ｇの中央部に設置され、図において左方側に示す矢印が入場方向を、右方側の矢印が退場方向をそれぞれ示している。したがって、入場者および退場者のカード認識は、この一台の入退場管理装置１１によって行われる。このとき、入退場管理装置１１の本体１２はその長軸方向が入退場方向と平行となるように設置され、入場者および退場者の右側前方部にカード検出部２３Ａ，２３Ｂが配置される。
【００２３】
図５は、入退場管理装置１１の作用を説明するフロー図である。図において左方側はリーダーライタ１８Ａについての作用フローを示し、右方側はリーダーライタ１８Ｂについての作用フローを示している。入退場管理装置１１へ電源が供給されると、リーダーライタ１８Ａ，１８Ｂは初期化された後、以下のルーチンを行う。
【００２４】
人体検出センサ２１Ａ，２１Ｂによって入場者／退場者の検出が行われる（ステップＳ１Ａ，Ｓ１Ｂ）。
ここで、入場者／退場者が検出されていない場合には補助ランプ１９Ａ，１９Ｂを点灯させてリーダーライタ１８Ａ，１８Ｂがスタンバイ状態にあることを外部に示す（ステップＳ２Ａ，Ｓ２Ｂ）。
一方、入場者／退場者が検出された場合には、不正入場／不正退場であると判定してカード認識ランプ２０を赤色に点灯させるとともに、警報ブザー２２Ａ，２２Ｂを作動させてアラームを鳴らす（ステップＳ８，Ｓ９Ａ，Ｓ９Ｂ）。
【００２５】
補助ランプ１９Ａ，１９Ｂが点灯した後、リーダーライタ１８Ａ，１８Ｂは、カード検出部２３Ａ，２３Ｂに利用者の携帯するＩＣカードがかざされているか否かでカードの有無の検出が行われる（ステップＳ３Ａ，Ｓ３Ｂ）。
ここで、カードが無いと判定した場合には補助ランプ１９Ａ，１９Ｂを消灯し（ステップＳ４Ａ，Ｓ４Ｂ）、ステップＳ１Ａ，Ｓ１Ｂへ戻る。
一方、カードが有ると判定した場合には、リーダーライタ１８Ａ，１８Ｂによるカードの認識が行われる（ステップＳ６Ａ，Ｓ６Ｂ）。
【００２６】
ＩＣカードの認識（あるいは認証）は公知の方法で行われ、その詳細な説明は省略するが、カードの適否を判定するに当たっては、カード発行の際に格納された各種データ（例えば、発行日、利用時間、利用可能施設、残ポイント数あるいは残金、その他利用者に関する事項等）に基づいて、入退資格の有無を識別する。なお、入退の記録等をリーダーライタ１８Ａ，１８ＢによってＩＣカードに書き込むようにしてもよい。
そこで、カード適正と認識した場合には、カード認識ランプ２０が緑色に点灯して入場者／退場者に入場／退場を促し（ステップＳ７）、逆に、カード不適と認識した場合には、カード認識ランプ２０が赤色に点灯するとともに警報ブザー２２Ａ，２２Ｂが作動する（ステップＳ８，Ｓ９Ａ，Ｓ９Ｂ）。
【００２７】
以上の動作は、入場者および退場者に対して各々独立して行われる。入場者および退場者の区別は、入場用のリーダーライタ１８Ａおよび退場用のリーダーライタ１８Ｂのうち何れがカードを認識したかによって行うことができる。
本実施の形態では、カード認識ランプ２０はひとつであるが、入場用および退場用の２つの表示灯を内蔵しているので、入場者および退場者に対して個々にカード認識結果を表示することができる。
また、入場用の警報ブザー２２Ａおよび退場用の警報ブザー２２Ｂが互いに異なる種類の警報音を発するように構成されているので、入場者および退場者の何れが不正入（退）場であるかを区別することができる。
【００２８】
本実施の形態によれば、本体１２の内部に入場者用のリーダーライタ１８Ａと退場者用のリーダーライタ１８Ｂが設置されているので、一台の入退場管理装置１１で入場者および退場者のカード認識を同時に行うことができ、装置設置コストおよび設置スペースの低減を図ることができる。
【００２９】
また、本実施の形態によれば、一台の入退場管理装置１１で入場者および退場者を区別してカード認識を行うことができ、入退場管理を適正に行うことができる。
したがって、例えば、開閉ゲートまでをも必要としない会社の入退出口や展示会場の入退場口等に本発明を適用でき、これにより、多数の警備員または係員を配置せずとも、当該入退出口あるいは入退場口のセキュリティシステムを構築することができる。
【００３０】
さらに、例えば図６に示すように、本体１２に対して送受信手段としての通信用アンテナ２４を設け、本体１２内部のリーダーライタと屋内に設置されたホストコンピュータ等の外部コンピュータ２５との間で無線通信を行わせるようにしてもよい。この場合、リーダーライタによるカード認識動作を外部コンピュータ２５で随時モニタリングできるとともに、当該コンピュータ２５からリーダーライタに対してカード認識条件の更新を行うことも可能となる。
【００３１】
（第２の実施の形態）
図７は本発明の第２の実施の形態による入退場管理装置を示している。
本実施の形態の入退場管理装置３１は、上述の第１の実施の形態と同様、曲面体形状の本体３２を有し、支柱３３を介して基台３４に支持されている。
【００３２】
本体３２の内部には、上述の第１の実施の形態と同様、基板モジュール、電源ユニット、リーダーライタ等が収容されているが、本実施の形態では、カード認識手段としてのリーダーライタは一台のみ設置され、入場用および退場用として兼用される。
【００３３】
本体３２の周面には、リーダーライタの収容位置に対応してカード検出部３５が設けられているとともに、図７において矢印で示す入退場方向に沿って、カード検出部３５を挟むように一対の人体検出用第１センサ３７Ａおよび第２センサ３７Ｂが設置されている。なお、第１，第２センサ３７Ａ，３７Ｂは、本発明の「入退出検出手段」を構成し、それぞれ例えば赤外線センサで構成される。
また、カード認識ランプ３６および警報ブザー３８が図示する場所に設置されるが、何れの場所に設置するかは任意である。
【００３４】
本実施の形態の入退場管理装置３１は、これ一台で入場者および退場者を区別してカード認証を行い得るようになっている。
すなわち、第１センサ３７Ａおよび第２センサ３７Ｂはそれぞれ入退場者の進行方向に沿って並設されているので、利用者がカード検出部３５へＩＣカードをかざす際には、必ず、何れか一方のセンサ３７Ａ，３７Ｂの前を通過することになる。
【００３５】
例えば、利用者が入場者であれば、カード認識時に第１センサ３７Ａで利用者の存在が検出され、利用者が退場者であれば、カード認識時に第２センサ３７Ｂで利用者の存在が検出される。
【００３６】
このように、本実施の形態では、カード認識時、第１，第２センサ３７Ａ，３７Ｂのうち何れのセンサから入退場者の検出信号が発信されたかに基づいて、入場者および退場者を区別するようにしている。これにより、一台のリーダーライタを内蔵する入退場管理装置３１によって、利用者の適正な入退場管理を行うことができる。
【００３７】
（第３の実施の形態）
続いて、図８は本発明の第３の実施の形態を示している。
本実施の形態の入退場管理装置４１は、上述の第２の実施の形態で説明した入退場管理装置を応用して入場者および退場者のカード認識を同時に行い得るようにしたものである。
【００３８】
入退場管理装置４１は、入退場口Ｇの中央部に設置され、「たまご」型の本体４２の内部には、カード検出部４５，４７に対応して２台のリーダーライタと、基板モジュール、電源ユニット等が設置されている。
各リーダーライタは、入場用および退場用の兼用となっている。
【００３９】
本体４２の周面には、カード認識ランプ４９、警報ブザー４３，４４および、本発明の「入退出検出手段」である人体検出用の第１センサ４６Ａ，４８Ａおよび第２センサ４６Ｂ，４８Ｂがそれぞれ設置されている。
一方側の第１センサ４６Ａおよび第２センサ４６Ｂは、入退場方向に沿ってカード検出部４５を挟むように配置され、他方側の第１センサ４８Ａおよび第２センサ４８Ｂも同様に、入退場方向に沿ってカード検出部４７を挟むように配置されている。
【００４０】
本実施の形態によれば、入退場に際し、カード検出部４５側およびカード検出部４７側の何れにおいてもカード認識を行うことができる。また、両カード検出部４５，４７において同時に入場者及び／又は退場者のカード認識を行うことができる。
【００４１】
また、本実施の形態によれば、各カード検出部４５，４７において、入場者および退場者を区別してカード認識を行うことができる。これらの区別は、上述の第２の実施の形態と同様な方法で行われ、カード認識時、第１センサ４６Ａ，４８Ａと第２センサ４６Ｂ，４８Ｂのうち何れのセンサが検出信号を発信したかによって、入場者および退場者の区別を容易に行うことができる。
【００４２】
以上、本発明の各実施の形態について説明したが、勿論、本発明はこれらに限定されることなく、本発明の技術的思想に基づいて種々の変形が可能である。
【００４３】
例えば以上の第１の実施の形態では、入場者用および退場者用のリーダーライタ１８Ａ，１８Ｂをそれぞれ一台ずつ配置したが、これを同一の本体内に複数台ずつ配置するようにしてもよい。
【００４４】
また、以上の第２，第３の実施の形態では、入場者および退場者の区別を第１，第２センサのうち何れのセンサが検出信号を発信したかに基づいて判定するようにしているが、これ以外にも、以下の方法によって入場者と退場者の区別を行うことができる。
【００４５】
すなわち、リーダーライタにカード認識履歴を記憶するメモリ等の記憶手段を具備させ、カード認識時、同一のデータを過去に認識しているか否かで判定するようにする。過去に同一のデータを認識していれば、二回目の認識はすなわち、退場を意味すると考えられるからである。
なお、同じ利用者が再度入場することも考えられるので、奇数回目は入場、偶数回目は退場と判断するようにしてもよい。
【００４６】
また、以上の各実施の形態では、入退場者を検出するセンサ類を赤外線センサで構成したが、これに限らず、例えば光電素子やＣＣＤカメラ等によって入退場者を検出することも可能である。
【００４７】
【発明の効果】
以上述べたように、本発明の入退場管理装置によれば、装置一台で入場者および退場者のカード認識を同時に行うことができ、これにより、装置の設置コストおよび設置スペースの低減を図ることができる。
また、入場者と退場者を区別してカード認識を行うことができる。
【図面の簡単な説明】
【図１】本発明の第１の実施の形態による入退場管理装置１１の全体斜視図である。
【図２】図１に示した入退場管理装置１１の本体１２内部の構成を示す斜視図である。
【図３】図２に示した本体１２の平面図である。
【図４】入退場管理装置１１の設置例を示す平面図である。
【図５】入退場管理装置１１の作用を説明するフロー図である。
【図６】本発明の第１の実施の形態の変形例を説明する図である。
【図７】本発明の第２の実施の形態による入退場管理装置３１の全体斜視図である。
【図８】本発明の第３の実施の形態による入退場管理装置４１の構成および設置例を示す平面図である。
【図９】従来の入室管理装置の設置例を示す図である。
【図１０】図９に示した従来の入室管理装置の概要を説明する図である。
【符号の説明】
１１，３１，４１…入退場管理装置、１２，３２，４２…本体、１８Ａ，１８Ｂ…リーダーライタ（カード認識手段）、２０，３６，４９…カード認識ランプ、２１Ａ，２１Ｂ，３７Ａ，３７Ｂ，４６Ａ，４６Ｂ，４８Ａ，４８Ｂ…人体検出センサ、２２Ａ，２２Ｂ，３８，４３，４４…警報ブザー（報知手段）、３７Ａ，４６Ａ，４８Ａ…第１センサ、３７Ｂ，４６Ｂ，４８Ｂ…第２センサ、２３Ａ，２３Ｂ，３５，４５，４７…カード検出部、２４…通信用アンテナ（送受信手段）、２５…外部コンピュータ。
【図１】
2004054725.tif 000003
【図２】
2004054725.tif 000004
【図３】
2004054725.tif 000005
【図４】
2004054725.tif 000006
【図５】
2004054725.tif 000007
【図６】
2004054725.tif 000008
【図７】
2004054725.tif 000009
【図８】
2004054725.tif 000010
【図９】
2004054725.tif 000011
【図１０】
2004054725.tif 000012